(57)【特許請求の範囲】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該雌螺条の螺合開始先端は、上方から見て該突出片の中心から時計方向に４５度乃至１３５度の範囲に位置せしめられており、
該非破断接続片は、該タンパーエビデント裾部に対して該本体が上方に移動せしめられると時計方向に傾動せしめられる時計方向傾動部を有し、該タンパーエビデント裾部に対して該本体が上方に移動せしめられると反時計方向に傾動せしめられる反時計方向傾動部は存在しない或いは存在しても延在長さが該時計方向傾動部の延在長さよりも短い、
ことを特徴とする、合成樹脂製容器蓋。
【請求項２】
上方から見て該突出片の時計方向側に位置する該非破断接続片は、延在長さが該時計方向傾動部の延在長さよりも短い該反時計方向傾動部を有する、請求項１記載の合成樹脂製容器蓋。
【請求項３】
上方から見て該突出片の時計方向側に位置する該非破断接続片においては、該反時計方向傾動部は該タンパーエビデント裾部に接続された片端から上方から見て反時計方向に延び、該反時計方向傾動部の他端には介在部が接続されており、該時計方向傾動部は介在部に接続された片端から上方から見て時計方向に延び、該時計方向傾動部の他端は該スカート壁に接続されており、
上から見て該突出片の反時計方向側に位置する該非破断接続片においては、該時計方向傾動部は該タンパーエビデント裾部に接続された片端から上方から見て時計方向に延び、該時計方向傾動部の他端には介在部が接続されており、該介在部は直接的に該スカート壁に接続されている、請求項２記載の合成樹脂製容器蓋。
【請求項４】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該雌螺条の螺合開始先端は、上方から見て該突出片の中心から反時計方向に４５度乃至１３５度の範囲に位置せしめられており、
該非破断接続片は、該タンパーエビデント裾部に対して該本体が上方に移動せしめられると反時計方向に傾動せしめられる反時計方向傾動部を有し、該タンパーエビデント裾部に対して該本体が上方に移動せしめられると時計方向に傾動せしめられる時計方向傾動部は存在しない或いは存在しても延在長さが該反時計方向傾動部の延在長さよりも短い、
ことを特徴とする、合成樹脂製容器蓋。
【請求項５】
上方から見て該突出片の反時計方向側に位置する該非破断接続片は、延在長さが該反時計方向傾動部の延在長さよりも短い該時計方向傾動部を有する、請求項４記載の合成樹脂製容器蓋。
【請求項６】
上方から見て該突出片の反時計方向側に位置する該非破断接続片においては、該時計方向傾動部は該タンパーエビデント裾部に接続された片端から上方から見て時計方向に延び、該時計方向傾動部の他端には介在部が接続されており、該反時計方向傾動部は介在部に接続された片端から上方から見て反時計方向に延び、該反時計方向傾動部の他端は該スカート壁に接続されており、
上から見て該突出片の時計方向側に位置する該非破断接続片においては、該反時計方向傾動部は該タンパーエビデント裾部に接続された片端から上方から見て反時計方向に延び、該反時計方向傾動部の他端には介在部が接続されており、該介在部は直接的に該スカート壁に接続されている、請求項５記載の合成樹脂製容器蓋。
【発明の詳細な説明】
【技術分野】
【０００１】
本発明は、容器の口頸部を開封した後においても容器蓋の全体が容器から分離されることがない型のタンパーエビデント特性を備えた合成樹脂製容器蓋、更に詳しくは本体と周方向に間隔をおいて配設された複数個の破断可能橋絡部を介して本体に接続されたタンパーエビデント裾部とを含み、橋絡部が破断されて本体が容器の口頸部から離脱されても、容器の口頸部に装着され続けるタンパーエビデント裾部に非破断接続片を介して本体が接続され続ける型の合成樹脂製容器蓋に関する。
【背景技術】
【０００２】
口頸部の外周面には雄螺条及びこの雄螺条の下方に位置する係止あご部が形成されている容器に適用される、タンパーエビデント特性を備えた合成樹脂製容器蓋として、下記特許文献１には、天面壁及びこの天面壁の周縁から垂下する筒状スカート壁を有し、スカート壁の内周面には口頸部の雄螺条に螺合せしめられる雌螺条が形成されている本体と、周方向に間隔をおいて配設された複数個の破断可能橋絡部を介して本体のスカート壁に接続され、内周面には口頸部の係止あご部に係止せしめられる係止手段が配設されている筒状タンパーエビデント裾部とを含む合成樹脂製容器蓋が開示されている。本体のスカート壁には下方に突出する突出片が配設されており、この突出片の周方向両側には、本体のスカート壁とタンパーエビデント裾部とを接続し且つタンパーエビデント裾部に対して本体が上方に移動せしめられると鉛直線に対する傾斜角度が漸次減少せしめられる傾動部を有する非破断接続片が配設されている。
【０００３】
上記のとおりの容器蓋を容器の口頸部に装着して口頸部を密封する際には口頸部に容器蓋を被嵌して閉方向に回転し、容器蓋の雌螺条を口頸部の雄螺条に螺合せしめる。螺合の進行に応じて口頸部に対して容器蓋が下降され、タンパーエビデント裾部に係止されている係止手段は口頸部の係止あご部を弾性的に乗り越えてその下方に係止せしめられる。口頸部を開封する際には、容器蓋を開方向に回転せしめて口頸部の雄螺条と容器蓋の雌螺条との螺合を解除する。螺合の解除に応じて容器蓋の本体は口頸部に対して上昇されるが、タンパーエビデント裾部は係止手段が口頸部の係止あご部に係止されている故に上昇が阻止され、従って破断可能橋絡部に応力が生成されて破断可能橋絡部が破断される。破断可能橋絡部が破断され本体が上昇を続け、タンパーエビデント裾部から本体が上方に離隔されると、これに応じて非破断接続片の傾動部は鉛直線に対する傾斜が漸次低減される。本体が口頸部から離脱された後においても、本体は非破段接続片の所要部位を旋回中心として旋回されて容器の口頸部から片側に変位せしめられるが、タンパーエビデント裾部は口頸部に装着され続け、本体は非破断接続片を介してタンパーエビデント裾部に接続され続け、従って容器から分離されることはない。容器の内容物を全部ではなくて部分的に消費した時点で消費を中断した場合には、本体を非破断接続片の所要部位を旋回中心として開封の際の旋回方向に対して反対方向に旋回せしめて容器の口頸部に被嵌し、次いで容器蓋を閉方向に回転せしめて容器蓋の雌螺条を口頸部の雄螺条に再び螺合せしめ、かくして口頸部を仮密封することができる。
【０００４】
更に、下記特許文献２には、上記合成樹脂製容器蓋の改良として、非破断接続片の各々を傾動方向が逆である２個の傾動部を含む形態にせしめることが開示されている。
【先行技術文献】
【特許文献】
【０００５】
【特許文献１】特開２００８−５６２４６号公報
【特許文献２】特開２０１０−１８２９０号公報
【発明の概要】
【発明が解決しようとする課題】
【０００６】
然るに、本発明者等の経験によれば、上述した如き合成樹脂製容器蓋には、容器蓋の本体を容器の口頸部から離脱し、次いで非破断接続片の所要部位を旋回中心として旋回せしめて容器の口頸部から変位せしめた後に、口頸部の仮密封のために本体を非破断接続片の所要部位を旋回中心として開封の際の旋回方向に対して逆方向に旋回せしめて口頸部に被嵌する際に、本体を充分円滑に口頸部に被嵌することができない場合があることが判明した。
【０００７】
本発明は上記事実に鑑みてなされたものであり、その主たる技術的課題は、口頸部の仮密封のために本体を非破断接続片の所要部位を旋回中心として開封の際の旋回方向に対して逆方向に旋回せしめて口頸部に被嵌する際に、常に本体を充分円滑に口頸部に被嵌することができる、新規且つ改良された合成樹脂製容器蓋を提供することである。
【課題を解決するための手段】
【０００８】
本発明者は、鋭意検討及び実験の結果、従来の容器蓋においては、スカート壁の内周面に形成されている雌螺条の螺合開始先端即ち下端が、周方向において本体の旋回基点即ち突出片の周方向中心に対して１８０度変位した旋回先端角度位置乃至その近傍に位置せしめられており、それ故に容器の口頸部と容器蓋との相対的角度位置関係によっては、本体を上記逆方向に旋回せしめて容器の口頸部に被嵌する際に、スカート壁の内周面に形成されている雌螺条の螺合開始先端即ち下端と口頸部の外周面に形成されている雄螺条の螺合開始端即ち上端が干渉し、かかる干渉によって口頸部に対する本体の円滑な被嵌が阻害されてしまうことを認識した。そして、かかる認識に基づいて、突出片の周方向中心に対して雌螺条の螺合開始先端を特定角度領域に位置せしめると共に、容器蓋の本体が容器の口頸部から離脱された時に、容器の口頸部に対して本体が雌螺条の螺合開始先端が位置する方向に幾分変位されるように構成することによって、上記主たる技術的課題を達成することができることを見出した。そして、容器蓋の本体が容器の口頸部から離脱された時に容器の口頸部に対して本体が所要方向に幾分変位するようになすためには、非破断接続片を、本体がタンパーエビデント裾部から上方に離隔する際に時計方向に傾動する時計方向傾動部と反時計方向傾動部とのいずれか一方を有すると共に、他方は存在しない或いは存在するとしても延在長さが他方よりも短い形態にすればよいことを見出した。
【０００９】
即ち、本発明の一局面によれば、上記主たる技術的課題を達成する合成樹脂製容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該雌螺条の螺合開始先端は、上方から見て該突出片の中心から時計方向に４５度乃至１３５度の範囲に位置せしめられており、
該非破断接続片は、該タンパーエビデント裾部に対して該本体が上方に移動せしめられると時計方向に傾動せしめられる時計方向傾動部を有し、該タンパーエビデント裾部に対して該本体が上方に移動せしめられると反時計方向に傾動せしめられる反時計方向傾動部は存在しない或いは存在しても延在長さが該時計方向傾動部の延在長さよりも短い、
ことを特徴とする、合成樹脂製容器蓋が提供される。
【００１０】
好ましくは、上方から見て該突出片の時計方向側に位置する該非破断接続片は、延在長さが該時計方向傾動部の延在長さよりも短い該反時計方向傾動部を有する。好適形態においては、上方から見て該突出片の時計方向側に位置する該非破断接続片においては、該反時計方向傾動部は該タンパーエビデント裾部に接続された片端から上方から見て反時計方向に延び、該反時計方向傾動部の他端には介在部が接続されており、該時計方向傾動部は介在部に接続された片端から上方から見て時計方向に延び、該時計方向傾動部の他端は該スカート壁に接続されており、
上から見て該突出片の反時計方向側に位置する該非破断接続片においては、該時計方向傾動部は該タンパーエビデント裾部に接続された片端から上方から見て時計方向に延び、該時計方向傾動部の他端には介在部が接続されており、該介在部は直接的に該スカート壁に接続されている。
【００１１】
本発明の他の局面によれば、上記主たる技術的課題を達成する合成樹脂製容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該雌螺条の螺合開始先端は、上方から見て該突出片の中心から反時計方向に４５度乃至１３５度の範囲に位置せしめられており、
該非破断接続片は、該タンパーエビデント裾部に対して該本体が上方に移動せしめられると反時計方向に傾動せしめられる反時計方向傾動部を有し、該タンパーエビデント裾部に対して該本体が上方に移動せしめられると時計方向に傾動せしめられる時計方向傾動部は存在しない或いは存在しても延在長さが該反時計方向傾動部の延在長さよりも短い、
ことを特徴とする、合成樹脂製容器蓋が提供される。
【００１２】
好ましくは、上方から見て該突出片の反時計方向側に位置する該非破断接続片は、延在長さが該反時計方向傾動部の延在長さよりも短い該時計方向傾動部を有する。好適形態においては、上方から見て該突出片の反時計方向側に位置する該非破断接続片においては、該時計方向傾動部は該タンパーエビデント裾部に接続された片端から上方から見て時計方向に延び、該時計方向傾動部の他端には介在部が接続されており、該反時計方向傾動部は介在部に接続された片端から上方から見て反時計方向に延び、該反時計方向傾動部の他端は該スカート壁に接続されており、
上から見て該突出片の時計方向側に位置する該非破断接続片においては、該反時計方向傾動部は該タンパーエビデント裾部に接続された片端から上方から見て反時計方向に延び、該反時計方向傾動部の他端には介在部が接続されており、該介在部は直接的に該スカート壁に接続されている。
【発明の効果】
【００１３】
本発明の第一の局面によって提供される合成樹脂製容器蓋においては、容器の口頸部を開封するために容器蓋を開方向に回転し、破断可能橋絡部を破断した後にタンパーエビデント裾部に対して本体を上方に離隔せしめると、非破断接続片の時計方向傾動部が時計方向に傾動せしめられることに起因して、本体は容器の口頸部及びタンパーエビデント裾部に対して所定方向、即ち突出片の中心に対して上方から見て反時計方向、に変位する方向に付勢される。しかしながら、本体の変位は口頸部によって阻止され、これに起因して非破断片が弾性変形されると共に幾分か塑性変形される。本体が容器の口頸部から離脱されると、非破断接続片の上記弾性変形は解除されるが、上記塑性変形はそのまま残留する。そして、この塑性変形に起因して容器の本体は、突出片の中心に対して上方から見て時計方向、即ち雌螺条の螺合開始先端が位置する方向に幾分変位され、従って雌螺条の螺合開始先端は容器の口頸部に形成されている雄螺条から半径方向外方に幾分変位され、かくして雌螺条の螺合開始先端と雄螺条の螺合開始先端とが角度的に整合した状態であっても、両者の干渉によって容器の口頸部に対する本体の円滑な被嵌が阻害されることが充分確実に回避される。
【００１４】
同様に、本発明の他の局面によって提供される合成樹脂製容器蓋においては、容器の口頸部を開封するために容器蓋を開方向に回転し、破断可能橋絡部を破断した後にタンパーエビデント裾部に対して本体を上方に離隔せしめると、非破断接続片の反時計方向傾動部が反時計方向に傾動せしめられることに起因して、本体は容器の口頸部及びタンパーエビデント裾部に対して所定方向、即ち突出片の中心に対して上方から見て時計方向、に変位する方向に付勢される。しかしながら、本体の変位は口頸部によって阻止され、これに起因して非破断片が弾性変形されると共に幾分か塑性変形される。本体が容器の口頸部から離脱されると、非破断接続片の上記弾性変形は解除されるが、上記塑性変形はそのまま残留する。そして、この塑性変形に起因して容器の本体は、突出片の中心に対して上方から見て反時計方向、即ち雌螺条の螺合開始先端が位置する方向に幾分変位され、従って雌螺条の螺合開始先端は容器の口頸部に形成されている雄螺条から半径方向外方に幾分変位され、かくして雌螺条の螺合開始先端と雄螺条の螺合開始先端とが角度的に整合した状態であっても、両者の干渉によって容器の口頸部に対する本体の円滑な被嵌が阻害されることが充分確実に回避される。
【図面の簡単な説明】
【００１５】
【図１】本発明に従って構成された合成樹脂製容器蓋の好適実施形態を示す正面図。
【図２】図１に図示する容器蓋を容器の口頸部に装着して口頸部を密封した状態を、一部を断面で示す正面図。
【図３】図２に図示する状態から、口頸部を開封するために容器蓋を開方向に幾分回転せしめた状態を示す正面図。
【図４】図３に図示する状態から容器蓋を更に開回転方向に回転せしめて容器蓋の本体を容器の口頸部から離脱せしめた状態を示す正面図。
【図５】図４の状態を示す平面図。
【図６】容器の口頸部から離脱された容器蓋の本体を所要位置まで旋回せしめた状態を示す側面図。
【発明を実施するための形態】
【００１６】
以下、本発明に従って構成された合成樹脂製容器蓋の好適実施形態を図示している添付図面を参照して、更に詳細に説明する。
【００１７】
本発明に従って構成された合成樹脂製容器蓋の好適実施形態を図示している図１及び図２を参照して説明すると、ポリエチレン又はポリプロピレンの如き適宜の合成樹脂から射出成形（又は圧縮成形）によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０とを有する。天面壁８の上面中央部には射出成形の際に突起が生成されるのを回避するための円形凹部１２が形成されている。天面壁８の内面には２条のシール突条、即ち内側環状突条１４及び外側環状突条１６が形成されている。
【００１８】
図1及び図２を参照して説明を続けると、図示の容器蓋２においては、本体４の天面壁８の上面とスカート壁１０の外周面は断面図において円弧状の境界面を介して接続されている。そして、スカート壁１０の外周面の主部１８は実質上鉛直に垂下せしめられており、スカート壁１０の下端部１９は半径方向下方に向かって半径方向外方に傾斜して延び、次いで実質上鉛直に延びている。スカート壁１０の外周面における上記主部１８には、周方向に間隔をおいて軸線方向に延びる突条部とかかる突条部間に位置する非突条部とから構成されたナール２０が形成されている。スカート壁１０の内周面には雌螺条２２が形成されている。この雌螺条２２の螺合開始先端（即ち下端）は、上方から見て後述する突出片の中心から時計方向に４５度乃至１３５度の範囲に位置せしめられていることが重要である（その理由については後に詳述する）。
【００１９】
図１及び図2を参照して説明を続けると、タンパーエビデント裾部６は全体として円筒形状であり、周方向に間隔をおいて配設された複数個の破断可能橋絡部２４（そのうちの１個を図２に図示している）を介して本体４のスカート壁１０に接続させている。破断可能橋絡部２４は特開２００７−１９１２０６号公報に開示されている破断可能橋絡部と実質上同一でよく、上端部はスカート壁１０の内周面下端部に接続され下端部はタンパーエビデント裾部６の内周面上端部に接続されている。タンパーエビデント裾部６の内周面には係止手段２６が配設されている。図示の実施形態における係止手段２６は、周方向に間隔をおいて配設された複数個の係止片（そのうちの１個を図２に図示ししている）から構成されており、係止片の各々はタンパーエビデント裾部６の内周面から半径方向内方に傾斜して上方に延出せしめられている。
【００２０】
図１において番号２８で示す領域において、本体４のスカート壁１０の下端縁は他の領域の下端縁よりも上方に変位せしめられており、また番号３０で示す領域においてタンパーエビデント裾部６の上端縁は他の領域の上端縁よりも下方に変位せしめられ、そして更に領域２８及び３０の中央部においてはタンパーエビデント裾部６の上端縁は更に幾分下方に変位せしめられており、スカート壁１０とタンパーエビデント裾部６との間には開口３２が生成されている。開口３２の周方向中央部において、スカート壁１０には下方に突出する略矩形状の突出片３４が形成されている。
【００２１】
図１に明確に図示するとおり、上記開口３２内には、更に、突出片３４の両側に位置する非破断接続片３６ａ及び３６ｂが配設されている。図示の実施形態においては、図１において突出片３４の左側（上方から見て時計方向側）に位置する非破断接続片３６ａは、タンパーエビデント裾部６に接続された片端から図１において右方（上方から見て反時計方向）に実質上水平に延びる反時計方向傾動部３８ａ、この反時計方向傾動部３８ａの他端に接続された介在部４０ａ、及び介在部４０ａに接続された片端から図１において左方（上方から見て時計方向）に実質上水平に延び、他端はスカート壁１０に接続されている時計方向傾動部４２ａから構成されている。時計方向傾動部４２ａの延在長さＬ１は反時計方向傾動部３８ａの延在長さＬ２よりも大きいこと、換言すれば反時計方向傾動部３８ａの延在長さＬ２は時計方向傾動部４２ａの延在長さＬ１よりも小さいこと、が重要である。図１において突出片３４の右側（上方から見て反時計方向側）に位置する非破断接続片３６ｂは、タンパーエビデント裾部６に接続された片端から図１において左方（上方から見て時計方向）に実質上水平に延びる時計方向傾動部３８ｂ、及びこの時計方向傾動部３８ｂの他端に接続された介在部４０ｂから構成されている。非破断接続片３６ｂは反時計方向傾動部を含んでおらず、介在部４０ｂは直接スカート壁１０に接続されている。所望ならば、時計方向傾動部３８ｂの延在長さよりも小さい延在長さを有する反時計方向傾動部を配設することもできる。また、反時計方向傾動部３８ａを図１において右方に向かって上方に傾斜せしめ、時計方向傾動部４２ａ及び３８ｂを図１において左方に向かって上方に傾斜せしめることもできる。
【００２２】
図２を参照して説明を続けると、ポリエチレンテレフタレートの如き適宜の合成樹脂或いはガラスから形成することができる容器の口頸部５０は全体として円筒形状であり、その上面は開口されている。口頸部５０の外周面には、雄螺条５２とこの雄螺条５２の下方に位置する係止あご部５４が形成されている。雄螺条５２には所謂通気路を形成するために所要角度領域に凹部５６（図６参照）が形成されている。
【００２３】
口頸部５０に容器蓋２を装着して口頸部５０を密封する際には、口頸部５０に容器蓋２を被嵌して閉方向（図２において上方から見て時計方向）に回転せしめ、口頸部５０の雄螺条５２に容器蓋２の雌螺条２２を螺合せしめる。雄螺条５２に対する雌螺条２２の螺合の進行に応じて容器蓋２は口頸部５０に対して漸次下降する。図２に図示する状態まで口頸部５０に対して容器蓋２が下降せしめられると、容器蓋２の本体４における天面壁８の内面に形成されている内側環状突条１４及び外側環状突条１６が夫々口頸部５０の内周面及び外周面に密接せしめられ、これによって口頸部５０が密封される。容器蓋２のタンパーエビデント裾部６の内周面に配設されている係止手段２６は口頸部５０の係止あご部５４を弾性的に乗り越えて、係止あご部５４の下方に位置する。
【００２４】
口頸部５０を開封する際には、容器蓋２を開方向（図２において上方から見て反時計方向）に回転せしめ、口頸部５０の雄螺条５２に対する容器蓋２の雌螺条２２の螺合を漸次解除する。螺合を漸次解除すると容器蓋２の本体４は開方向に回転せしめられると共に上昇せしめられるが、タンパーエビデント裾部６は係止手段２６が口頸部５０の係止あご部５４に係止して上昇が阻止され、これに起因して破断可能橋絡部２４に相当な応力が生成され、破断可能橋絡部２４が破断される。しかる後においては、容器蓋２の本体４は開方向への回転と共に上昇し、タンパーエビデント裾部６から上方に漸次離間せしめられる。図１及び図２と共に図３を参照することによって明確に理解される如く、タンパーエビデント裾部６から本体４が漸次上方に離間せしめられると、非破断接続片３６ａの反時計方向傾動部３８ａは反時計方向に旋回され、非破断接続片３６ａの時計方向傾動部４２ａ及び非破断接続部３６ｂの時計方向傾動部３８ｂは時計方向に旋回され、これに応じて反時計方向傾動部３８ａ、時計方向傾動部４２ａ及び時計方向傾動部３８ｂの鉛直線に対する傾斜角度αが漸次低減せしめられる。そしてこの際には、非破断接続部３６ａにおいては反時計方向傾動部３８ａの延在長さよりも時計方向傾動部４２ａの延在長さのほうが大きく、非破断接続部３６ｂにおいては反時計方向傾動部が存在しないことに起因して、容器蓋２の本体４には図３において左方（上方から見て反時計方向）に変位せんとする力が作用するが、本体４の変位は口頸部５０によって阻止され、それ故に時計方向傾動部４２ａ及び時計方向傾動部３８ｂには引っ張り応力が生成され、時計方向傾動部４２ａ及び時計方向傾動部３８ｂは幾分弾性的に変形されると共に幾分塑性変形される。本体２の開方向への回転が進行し、口頸部５０の雄螺条５２に対する容器蓋２の雌螺条２２の螺合が完全に解除されると、本体４は口頸部５０から離脱される。しかしながら、本体４は非破断接続部３６ａ及び３６ｂを介して、口頸部５０に装着され続けているタンパーエビデント裾部６に接続され続けている故に、容器の口頸部５０から離間されることはない。図３と図４を比較参照すると共に図５を参照することによって明確に理解される如く、本体４が口頸部５０から離脱され、口頸部５０による本体４の拘束が解除されると、時計方向傾動部４２ａ及び時計方向傾動部３８ｂの弾性変形は弾性的に復元されるが塑性変形はそのまま残留することに起因して、本体４は口頸部５０及びタンパーエビデント裾部６に対して図３及び５において左方（上方から見て時計方向）に変位される。図５においては、本体４が口頸部５０から離脱された後における本体４のスカート壁１０の下端を実線Ｘで示し、本体４が口頸部５０から離脱される前における本体４のスカート壁１０の下端を二点鎖線Ｙで示しており、実線Ｘと二点鎖線Ｙとを比較することによって本体４の上述した変位を明確に理解することができる。
【００２５】
容器蓋２の本体４が口頸部５０から離脱された後においては、非破断接続部３６ａ及び３６ｂとタンパーエビデント裾部１０との接続領域、従って反時計方向傾動部３８ａの片端及び時計方向傾動部３８ｂの片端を中心として本体４を口頸部５０から遠ざかる方向に、図６に図示する状態まで旋回せしめる。かくすると、本体４に形成されている突出片３４の下端部（先端部）外側面が口頸部の係止あご部５４の上面に当接し、本体４のスカート壁１０の下端がタンパーエビデント裾部６の外周面に当接し、これによって本体４は図６に図示する位置に解除自在に保持される。従って、消費者は本体４の存在によって阻害されることなく、容器内に存在する清涼飲料の如き内容物を飲食することができる。
【００２６】
内容物の飲食を途中で中断した場合には、図６に図示する位置に保持されている本体４を図６において反時計方向に旋回せしめて再び口頸部５０に被嵌し、そして容器蓋２を閉方向に回転せしめて口頸部５０の雄螺条５２に容器蓋２の雌螺条２２を螺合せしめ、かくして容器蓋２を再び図２に図示する状態に位置せしめ、口頸部５０を仮密封することができる
【００２７】
而して、本発明に従って構成された容器蓋２においては、本体４のスカート壁１０の内周面に形成されている雌螺条２２の螺合開始先端は、上方から見て突出片３４の中心から４５度乃至１３５度の範囲、即ち図４及び図５にＺで示す角度領域に位置付けられている。そして、口頸部５０から一旦離脱された本体４は図４及び図５において左方に変位されている。それ故に、図４及び図５を参照することによって明確に理解される如く、雌螺条２２の螺合開始先端は口頸部５０に対して幾分半径方向外側に変位している。従って、雌螺条２２の螺合開始先端と雄螺条５２の螺合開始先端とが角度的に整合した状態であっても、両者の干渉によって口頸部５０に対する本体４の円滑な被嵌が阻害されることが充分確実に回避される。
【００２８】
上述した実施形態においては、雌螺条２２の螺合開始先端を上方から見て突出片３４の中心から時計方向に４５度乃至１３５度の範囲に位置せしめ、非破断接続片３６ａ及び３６ｂにおいては、タンパーエビデント裾部６に対して本体４が上方に移動せしめられると反時計方向に傾動せしめられる反時計方向傾動部は存在しない或いは存在しても延在長さが時計方向傾動部の延在長さよりも短くしているが、かような実施形態に対して時計方向と反時計方向との関係を全く逆にして、雌螺条の螺合開始先端を上方から見て突出片の中心から反時計方向に４５度乃至１３５度の範囲に位置せしめ、非破断接続片においては、タンパーエビデント裾部に対して本体が上方に移動せしめられると時計方向に傾動せしめられる時計方向傾動部は存在しない或いは存在しても延在長さが反時計方向傾動部の延在長さよりも短くしても全く同様の作用効果が達成される。
【実施例】
【００２９】
ポリエチレンから射出成形によって、呼び径２８ｍｍの口頸部を有するポリエチレンテレフタレート製容器のための、図１乃至図６に図示するとおりの形態の容器蓋を１０個作成した。上方から見て突出片よりも時計方向側に位置する非破断接続片における反時計方向傾動部の断面積は０．７７ｍｍ２で延在長さは２．１０ｍｍで、時計方向傾動部の断面積は０．８３ｍｍ２で延在長さは４．２０ｍｍで、上方から見て突出片よりも反時計方向側に位置する非破断接続片における時計方向傾動部の断面積は０．７７ｍｍ２で延在長さは４．２０ｍｍであった。かかる容器蓋を上記容器の口頸部に所要とおりに装着し、次いで容器蓋を開回転方向に回転せしめて破断可能橋絡部を破断して本体を口頸部から離脱した直後に、上方から見て突出片から９０度の角度位置において本体のスカート壁の下端が口頸部から離脱する前の状態に比べて半径方向外方に変位した変位量を測定した結果、１０個の容器蓋における最小変位量は０．７０ｍｍで、最大変位量は０．８８ｍｍで、平均変位量は０．８０ｍｍであった。
【符号の説明】
【００３０】
２：容器蓋
４：本体
６：タンパーエビデント裾部
８：天面壁
１０：スカート壁
２２：雌螺条
２４：破断可能橋絡部
２６：係止手段
３４：突出片
３６ａ：非破断接続片
３６ｂ：非破断接続片
３８ａ：反時計方向傾動部
４０ａ：介在部
４２ａ：時計方向傾動部
３８ｂ：時計方向傾動部
４０ｂ：介在部
５０：容器の口頸部
５２：雄螺条
５４：係止あご部
５２：旋回起点（突出片の周方向中心）
５４：雌螺条の螺合開始点
【図１】
0005520768.tif 000002
【図２】
0005520768.tif 000003
【図３】
0005520768.tif 000004
【図４】
0005520768.tif 000005
【図５】
0005520768.tif 000006
【図６】
0005520768.tif 000007